(57)【要約】【課題】  本発明は、いかなる種類のドライブ装置と、いかなる種類の記録媒体とが組み合わされた場合であっても記録媒体に対して最良の記録特性が得られるような動作条件をドライブ装置に設定できるようにする。【解決手段】  本発明は、ドライブ装置に対して未知の新規種類の記録媒体が装填された場合であっても、当該記録媒体に設けられた特定の読出専用領域から当該ドライブ装置と新規種類の記録媒体との組み合わせにおいて適した光学系の第１の動作条件情報を読み出し、これを用いて最良の動作特性を得ることができるように動作条件を設定することにより、いかなる種類のドライブ装置と、いかなる種類の記録媒体とが組み合わされた場合であっても記録媒体に対して最良の記録特性が得られるような動作条件をドライブ装置に設定することができる。【選択図】        図３
2005243197.tif 000002
【特許請求の範囲】
【請求項１】
複数種類の記録媒体と、当該複数種類の記録媒体に対してそれぞれ適するように光学系の動作条件設定を行う複数種類のドライブ装置とを有する動作条件設定システムであって、
上記記録媒体は、
上記ドライブ装置が新規種類の記録媒体に対して知り得ない当該新規種類の記録媒体に適した光学系の第１の動作条件情報をそれぞれ格納する特定の読出専用領域と
を具え、
上記ドライブ装置は、
既知種類の記録媒体に適した光学系の第２の動作条件情報をそれぞれ記憶する記憶手段と、
上記複数種類の記録媒体のうち当該ドライブ装置に装填された記録媒体に適する上記第２の動作条件情報が上記記憶手段に記憶されている場合には上記既知種類の記録媒体であると判別し、当該ドライブ装置に装填された記録媒体に適する上記第２の動作条件情報が上記記憶手段に記憶されていない場合には上記新規種類の記録媒体であると判別する判別手段と、
上記既知種類の記録媒体であると判別した場合には当該第２の動作条件情報を用いて上記光学系の動作条件設定を行い、上記新規種類の記録媒体であると判別した場合には当該新規種類の記録媒体における上記特定の読出専用領域から当該ドライブ装置に適した上記第１の動作条件情報を読み出し、当該第１の動作条件情報を用いて上記光学系の動作条件設定を行う制御手段と
を具えることを特徴とする動作条件設定システム。
【請求項２】
上記第１の動作条件情報及び上記第２の動作条件情報は、上記動作条件設定を行う際の上記光学系の上記記録媒体に対する照射時間である
ことを特徴とする請求項１に記載の動作条件設定システム。
【請求項３】
上記記憶手段は、読出専用である
ことを特徴とする請求項１に記載の動作条件設定システム。
【請求項４】
複数種類の記録媒体にそれぞれ適するように光学系の動作条件設定を行うドライブ装置であって、
新規種類の記録媒体に対して知り得ない当該新規種類の記録媒体に適した上記光学系の第１の動作条件情報がそれぞれ特定の読出専用領域に格納されている上記新規種類の記録媒体から当該第１の動作条件情報を読み出す読出手段と、
既知の記録媒体に適した上記光学系の第２の動作条件情報をそれぞれ記憶する記憶手段と、
上記複数種類の記録媒体のうち当該ドライブ装置に装填された記録媒体に適する上記第２の動作条件情報が上記記憶手段に記憶されている場合には上記既知種類の記録媒体であると判別し、当該ドライブ装置に装填された記録媒体に適する上記第２の動作条件情報が上記記憶手段に記憶されていない場合には上記新規種類の記録媒体であると判別する判別手段と、
上記既知種類の記録媒体であると判別した場合には当該第２の動作条件情報を用いて上記光学系の動作条件設定を行い、上記新規種類の記録媒体であると判別した場合には当該新規種類の記録媒体における上記特定の読出専用領域から当該ドライブ装置に適した上記第１の動作条件情報を読み出し、当該第１の動作条件情報を用いて上記光学系の動作条件設定を行う制御手段と
を具えることを特徴とするドライブ装置。
【請求項５】
複数種類の記録媒体にそれぞれ適するように光学系の動作条件設定を行う動作条件設定方法であって、
新規種類の記録媒体に対して知り得ない当該新規種類の記録媒体に適した上記光学系の第１の動作条件情報がそれぞれ特定の読出専用領域に格納されている上記新規種類の記録媒体から当該第１の動作条件情報を読み出す読出ステップと、
上記複数種類の記録媒体のうち当該ドライブ装置に装填された記録媒体に適する第２の動作条件情報が記憶手段に記憶されている場合には既知種類の記録媒体であると判別し、当該ドライブ装置に装填された記録媒体に適する上記第２の動作条件情報が上記記憶手段に記憶されていない場合には上記新規種類の記録媒体であると判別する判別ステップと、
上記既知種類の記録媒体であると判別した場合には当該第２の動作条件情報を用いて上記光学系の動作条件設定を行い、上記新規種類の記録媒体であると判別した場合には当該新規種類の記録媒体における上記特定の読出専用領域から当該ドライブ装置に適した上記第１の動作条件情報を読み出し、当該第１の動作条件情報を用いて上記光学系の動作条件設定を行う制御ステップと
を具えることを特徴とする動作条件設定方法。
【請求項６】
既知種類のドライブ装置が知り得ず、当該既知種類のドライブ装置の光学系が当該記録媒体にアクセスするのに適した動作条件情報をそれぞれ格納した特定の読出専用領域
を具えることを特徴とする記録媒体。
【発明の詳細な説明】
【技術分野】
【０００１】
本発明は、動作条件設定システムに関し、例えば光学ピックアップの記録特性を複数種類の光ディスクに対して最良の記録特性が得られるように設定する場合に適用して好適なものである。
【背景技術】
【０００２】
従来、ディスクドライブ装置においては、装填される光ディスクの種類にそれぞれ適した最良の記録特性が得られるようなレーザ変調方式に関する制御情報を保持し、これを用いて動作条件を設定するようになされたものがある（例えば、特許文献１参照）。
【０００３】
このディスクドライブ装置においては、まず光ディスクのディスク種類を判別し、予めディスク種類に応じて保持しているレーザ変調方式に関する制御情報を用いて個々の種類の光ディスクにそれぞれ適した記録動作を実行することにより最良の記録特性を得ることができるようになされている。
【特許文献１】特許第2725561号公報
【発明の開示】
【発明が解決しようとする課題】
【０００４】
ところでかかる構成のディスクドライブ装置においては、光ディスクのディスク種類にそれぞれ対応したレーザ変調方式に関する制御情報を予め保持しておくようになされているが、あくまで既知種類の光ディスクが装填された場合にのみ対応できるものであって、未知の新規種類の光ディスクが装填された場合にはファームウェアをアップデートしない限り対応できず、そのような未知の記録媒体に対しては最良の記録特性を得ることができないという問題があった。
【０００５】
本発明は以上の点を考慮してなされたもので、いかなる種類のドライブ装置と、いかなる種類の記録媒体とが組み合わされた場合であっても当該記録媒体に対して最良の記録特性が得られるような動作条件をドライブ装置に設定し得る動作条件設定システムを提案しようとするものである。
【課題を解決するための手段】
【０００６】
かかる課題を解決するため本発明においては、複数種類の記録媒体と、当該複数種類の記録媒体に対してそれぞれ適するように光学系の動作条件設定を行う複数種類のドライブ装置とを有する動作条件設定システムであって、記録媒体は、ドライブ装置が新規種類の記録媒体に対して知り得ない当該新規種類の記録媒体に適した光学系の第１の動作条件情報をそれぞれ格納する特定の読出専用領域とを具え、ドライブ装置は、既知種類の記録媒体に適した光学系の第２の動作条件情報をそれぞれ記憶する記憶手段と、複数種類の記録媒体にうち当該ドライブ装置に装填された記録媒体に関する第２の動作条件情報が記憶手段に記憶されている場合には既知種類の記録媒体であると判別し、当該ドライブ装置に装填された記録媒体に関する第２の動作条件情報が記憶手段に記憶されていない場合には新規種類の記録媒体であると判別する判別手段と、既知種類の記録媒体であると判別した場合には当該第２の動作条件情報を用いて光学系の動作条件設定を行い、新規種類の記録媒体であると判別した場合には当該新規種類の記録媒体における特定の読出専用領域から当該ドライブ装置に適した第１の動作条件情報を読み出し、当該第１の動作条件情報を用いて光学系の動作条件設定を行う制御手段とを設けるようにする。
【０００７】
これにより、ドライブ装置に対して未知の新規種類の記録媒体が装填された場合であっても、当該記録媒体に設けられた特定の読出専用領域から当該ドライブ装置と新規種類の記録媒体との組み合わせにおいて適した光学系の第１の動作条件情報を読み出し、これを用いて最良の動作特性を得ることができるように動作条件を設定することができる。
【０００８】
また本発明の記録媒体においては、既知種類のドライブ装置が知り得ず、当該既知種類のドライブ装置の光学系が当該記録媒体にアクセスするのに適した動作条件情報をそれぞれ格納した特定の読出専用領域を備えるようにする。
【０００９】
これにより既知種類のドライブ装置に記録媒体が装填された場合、当該既知種類のドライブ装置の光学系が当該記録媒体にアクセスするのに適した動作条件情報を読出専用領域から読み出し、これを用いて動作条件を設定することができる。
【発明の効果】
【００１０】
本発明によれば、ドライブ装置に対して未知の新規種類の記録媒体が装填された場合であっても、当該記録媒体に設けられた特定の読出専用領域から当該ドライブ装置と新規種類の記録媒体との組み合わせにおいて適した光学系の第１の動作条件情報を読み出し、これを用いて最良の動作特性を得ることができるように動作条件を設定し得る動作条件設定システム、ドライブ装置及び動作条件設定方法を実現することができる。
【００１１】
また本発明によれば、既知種類のドライブ装置に記録媒体が装填された場合、当該既知種類のドライブ装置の光学系が当該記録媒体にアクセスするのに適した動作条件情報を読出専用領域から読み出し、これを用いて動作条件を設定することができる。
【発明を実施するための最良の形態】
【００１２】
以下、図面について、本発明の一実施の形態を詳述する。
【００１３】
（１）動作条件設定システムの全体構成
図１において、１は全体として本発明の動作条件設定システムを示し、主にディスクドライブ装置２及び光ディスク３だけで構築される。
【００１４】
ディスクドライブ装置２は、記録再生動作時、図示しないターンテーブル上に載置された光ディスク３をスピンドルモータ１０によって一定線速度（ＣＬＶ：Constant Linear Velocity）若しくは一定角速度（ＣＡＶ：Constant Angular Velocity）で回転駆動し、光学ピックアップ１１により光ディスク３に対してエンボスピット形態、色素変化ピット形態、或いは相変化ピット形態等で記録されているデータや、ウォブリンググルーブによるＡＤＩＰ(Address In Pre-groove)情報の読み出しを行うようになされている。
【００１５】
光学ピックアップ１１は、レーザ光源となるレーザダイオード１２や、反射光を検出するためのフォトディテクタ１３、レーザ光の出力端となる対物レンズを保持する二軸アクチュエータ１４、レーザダイオード１２からのレーザ出力制御を行うＡＰＣ(Automatic Power Control)回路１５及びレーザ光を対物レンズを介してディスク記録面に照射し、またその反射光をフォトディテクタ１３に導く光学系（図示せず）を搭載しており、サーボ駆動回路１７により二軸アクチュエータ１４を介して対物レンズをトラッキング方向及びフォーカス方向へ移動可能に保持するようになされている。
【００１６】
なお光学ピックアップ１１は、サーボ駆動回路１７によりスライド駆動部１６を介して当該光学ピックアップ１１全体がディスク半径方向へ移動可能とされている。
【００１７】
ディスクドライブ装置２では、光ディスク３からの反射光をフォトディテクタ１３によって検出し、当該フォトディテクタ１３の受光光量に応じた電気信号としてアナログシグナルプロセッサ１８へ送出する。
【００１８】
アナログシグナルプロセッサ１８は、マトリクスアンプ１９によりフォトディテクタ１３の各受光部の電気信号についてマトリクス演算を行い、例えばサーボ制御のためのフォーカスエラー信号ＦＥ、トラッキングエラー信号ＴＥを生成し、またウォブリンググルーブの情報としてプッシュプル信号ＰＰを生成する一方、リードチャンネルフロントエンド２０により再生信号ＲＦを生成する。
【００１９】
アナログシグナルプロセッサ１８は、これらフォーカスエラー信号ＦＥ、トラッキングエラー信号ＴＥ、プッシュプル信号ＰＰ、再生信号ＲＦをそれぞれアナログディジタル変換器２１を介してディジタル信号に変換した後ディジタルシグナルプロセッサ２２へ送出する。
【００２０】
ディジタルシグナルプロセッサ２２は、ライトパルスジェネレータ２３、サーボシグナルプロセッサ２４、ウォブルシグナルプロセッサ２５及びＲＦシグナルプロセッサ２６を有しており、プッシュプル信号ＰＰをウォブルシグナルプロセッサ２５でデコード処理し、ＡＤＩＰ情報を抽出する。
【００２１】
ウォブルシグナルプロセッサ２５は、ＡＤＩＰ情報として得られたアドレスや物理フォーマット情報等をディスクコントローラ２７を介してＣＰＵ(Central Processing Unit)３０へ送出する。
【００２２】
サーボシグナルプロセッサ２４は、フォーカスエラー信号ＦＥ、トラッキングエラー信号ＴＥや、例えばＲＦシグナルプロセッサ２６におけるＰＬＬ処理等で検出可能な回転速度情報等からフォーカス、トラッキング、スライド、スピンドルの各種サーボドライブ信号を生成し、これをディジタルアナログ変換器３１を介してサーボ駆動回路１７へ供給する。
【００２３】
サーボ駆動回路１７は、フォーカス／トラッキングのサーボドライブ信号に基づいて二軸アクチュエータ１４を駆動し、フォーカスサーボ／トラッキングサーボ動作を実行するようになされている。
【００２４】
またサーボ駆動回路１７は、スライドドライブ信号に基づいてスライド駆動部１６を駆動し、光学ピックアップ１１の移送動作を実行したり、スピンドルサーボドライブ信号に基づいてスピンドルモータ１０を回転駆動するようになされている。
【００２５】
さらにサーボシグナルプロセッサ２４では、ＣＰＵ３０からの指示により、フォーカスサーチ、トラックジャンプ、シーク等の動作が実行されるように各種命令をサーボ駆動回路１７へ送出する。
【００２６】
ＲＦシグナルプロセッサ２６は、アナログディジタル変換器２１から供給された再生信号ＲＦに対して所定の信号処理を施した後、これをディスクコントローラ２７へ送出する。
【００２７】
ディスクコントローラ２７は、エンコード／デコード部３１及びＥＣＣ(Error Correcting Code)処理部３２を有し、再生時においてはＲＦシグナルプロセッサ２６から供給されるデータに対してエンコード／デコード部３１でデコード処理を行い、またＥＣＣ処理部３２でエラー訂正処理を行うことにより再生データを得る。
【００２８】
またディスクコントローラ２７は、デコード処理により得られた情報の中からサブコード情報やアドレス情報さらには管理情報や付加情報を抜き出しており、これらの各種情報をＣＰＵ３０へ供給するようになされている。
【００２９】
ディスクドライブ装置２のコントローラとして機能するＣＰＵ３０は、デコード処理及びエラー訂正処理を介して得られた再生データをホストインタフェース３３を介して外部のホスト機器４０（例えばパーソナルコンピュータ）へ転送する。
【００３０】
すなわちＣＰＵ３０は、ホストインタフェース３３を介してホスト機器４０との間で再生データやリード ／ライトコマンド等の通信を行っており、ホスト機器４０からのリードコマンドに応じて光ディスク３に対する再生制御を行い、デコードされた再生データを転送する。
【００３１】
これに対してＣＰＵ３０は、ホスト機器４０からライトコマンド及び記録データが供給されることに応じて光ディスク３に対する記録動作を実行するようになされており、データ記録時にホスト機器４０から供給される記録データに対してＥＣＣ処理部３２でエラー訂正コードを付加し、エンコード／デコード部３１でエンコード処理を実行する。
【００３２】
ＣＰＵ３０は、エンコード処理した記録データをディジタルシグナルプロセッサ２２におけるライトパルスジェネレータ２３へ供給し、当該ライトパルスジェネレータ２３を介して記録データに対し波形整形等の処理を行い、レーザ変調データとしてＡＰＣ回路１５へ送出する。
【００３３】
ＡＰＣ回路１５は、レーザ変調データに応じてレーザダイオード１２を駆動し、記録データに応じたレーザ出力でレーザ光を光ディスク３のディスク記録面に対して照射させることにより、当該光ディスク３に対してデータ書き込みを行うようになされている。
【００３４】
このときＣＰＵ３０は、光ディスク３の最内周側に設けられた特定領域から予めディスクインフォーメーション情報を読み取り、当該ディスクインフォーメーション情報に基づいて設定したレーザ光の照射時間分だけ照射させるようにライトパルスジェネレータ２３を制御することにより、最適な反射率で最も優れた記録特性を得ることができるようになされている。
【００３５】
ここでディスクインフォーメーション情報とは、所定の光ディスク規格に準拠したレーザ光の立上りタイミング、立下りタイミング、レーザ光を照射している間のパルス幅等を示す記録条件情報であり、かつディスクドライブ装置２が最良の記録特性を得るための基準となる情報である。
【００３６】
従ってＣＰＵ３０は、このディスクインフォーメーション情報通りのパルス幅に応じた照射時間で光学ピックアップ１１からレーザ光を照射することができれば、光ディスク３のディスク記録面に対して正確かつ確実にデータ書き込みを実行することが可能となるが、実際には光学ピックアップ１１が有する動作特性によっては必ずしも最良の記録特性が得られない場合もある。
【００３７】
ところでＣＰＵ３０は、記憶手段としてのＲＯＭ(Read Only Memory)３５に書換不能なドライブユニークインフォーメーションエリア（以下、これをＤＵＩＡ領域と呼ぶ）３６を有しており、既知世代の複数種類の光ディスク３に対して光学ピックアップ１１が記録動作を行う際、当該光学ピックアップ１１と既知世代の複数種類の光ディスク３との個々の組み合わせにおいて最適な反射率で最も優れた記録特性を得ることができるような動作条件情報ＭＵＩ（照射時間等）がＤＵＩＡ領域３６にそれぞれ格納されるようになされている。
【００３８】
なおＲＯＭ３５のＤＵＩＡ領域３６には、上述の動作条件情報ＭＵＩだけではなく、当該ディスクドライブ装置２自身が第何世代のものであるかを示す世代情報Ｇｅが格納されている。この世代情報Ｇｅは、ディスクドライブ装置２の記録特性が変化したときに付されるものであり、世代が異なれば記録性能も変化していることを示す情報である。
【００３９】
実際上、ＣＰＵ３０はＲＯＭ３５のＤＵＩＡ領域３６と８ビットのアドレスバス及びデータバスで接続されており、ＲＯＭ３５のＤＵＩＡ領域３６に格納されている世代情報Ｇｅを読み出して当該ディスクドライブ装置２自身の世代を認識したり、ＤＵＩＡ領域３６から個々のディスク世代の光ディスク３に適した動作条件情報ＭＵＩをそれぞれ読み出し得るようになされている。
【００４０】
（２）光ディスクの構造
図２（Ａ）及び（Ｂ）に示すように光ディスク３は、ディスク記録面の最内周側のＮトラック分の領域に当該光ディスク３のディスク世代情報が書き込まれたメディアバージョンインフォーメーションエリア（以下、これをＭＶＩＡ領域と呼ぶ）５１が設けられると共に、その外側でＭトラック分の領域に、当該光ディスク３に対する光学ピックアップ１１の照射時間等の記録条件を示す固有の動作条件情報ＭＵＩが書き込まれたメディアユニークインフォーメーションエリア（以下、これをＭＵＩＡ領域と呼ぶ）５２が設けられ、その外側のＬトラック分の領域にユーザが使用すべき読出／書込エリア５３が設けられている。
【００４１】
ここで、ＭＶＩＡ領域５１に書き込まれているディスク世代情報とは、ディスク記録面の反射率や光の照射時間等が変化したときに付されるものであり、ディスクドライブ装置２のＣＰＵ３０が光ディスク３の種別をディスク世代によって判別するためのものである。
【００４２】
一方ＭＵＩＡ領域５２に書き込まれている動作条件情報ＭＵＩとは、ディスクドライブ装置２におけるＲＯＭ３５のＤＵＩＡ領域３６に格納されているものと同種の情報であり、かつ現時点で既知世代の複数種類のディスクドライブ装置２における光学ピックアップ１１のレーザ光パワーや立上り時間特性等のばらつきにそれぞれ対応し、データ記録時に最適な反射率で最も優れた記録特性が得られるように考慮された固有の情報である。例えば、レーザ光をディスク記録面に照射する照射時間等である。
【００４３】
すなわちディスクドライブ装置２のＣＰＵ３０は、光ディスク３のＭＵＩＡ領域５２に格納されている当該ディスクドライブ装置２の世代に対応した動作条件情報ＭＵＩを読み出し、当該動作条件情報ＭＵＩに基づいてレーザ光の照射時間等の動作条件を設定すれば、当該光ディスク３に対してデータ記録時に最適な反射率で最も優れた記録特性が必ず得られるような記録動作環境を創り出すことができるようになされている。
【００４４】
（３）ディスクドライブ装置と光ディスクとの相補関係
図３では、ディスクドライブ装置２が光学ピックアップ１１における記録性能の向上に伴って第１世代から第４世代へと移り変わり、光ディスク３についても記録密度の向上や反射率の変化等を原因とする記録性能の向上に伴って第１世代から第５世代へと移り変わる場合において、いずれの世代のディスクドライブ装置２（２Ａ〜２Ｄ）及びいずれの世代の光ディスク３（３Ａ〜３Ｅ）の組み合わせであっても最適な反射率で最も優れた記録特性が得られる関係が示されている。
【００４５】
例えば、第１世代のディスクドライブ装置２Ａと第１世代の光ディスク３Ａとがある時点で同時に存在して双方既知である場合、第１世代のディスクドライブ装置２ＡにおけるＲＯＭ３５のＤＵＩＡ領域３６には当該第１世代のディスクドライブ装置２Ａと第１世代の光ディスク３Ａとの組み合わせに対して最適な反射率で最も優れた記録特性が得られるような動作条件情報ＭＵＩ１−１が格納されると共に、第１世代の光ディスク３ＡにおけるＭＵＩＡ領域５２にも当該ディスクドライブ装置２が保持するのと同じ動作条件情報ＭＵＩ１−１が格納されている。
【００４６】
これに対して、次に開発された第２世代の光ディスク３Ｂにおいては、この時点で既知となっている当該第１世代のディスクドライブ装置２Ａのために、当該第１世代のディスクドライブ装置２Ａと新規な第２世代の光ディスク３Ｂとの組み合わせに対して最適な反射率で最も優れた記録特性が得られるような動作条件情報ＭＵＩ２−１がＭＵＩＡ領域５２に格納されている。
【００４７】
これにより第１世代のディスクドライブ装置２Ａでは、当該第１世代のディスクドライブ装置２Ａにとっては未知の新規な第２世代の光ディスク３Ｂが装填された場合であっても、当該新規な第２世代の光ディスク３ＢのＭＵＩＡ領域５２から動作条件情報ＭＵＩ２−１を読み出し、これを用いてＣＰＵ３０が光学ピックアップ１１の動作条件を設定すれば、ファームウェアをアップデートすることなく当該新規な第２世代の光ディスク３Ｂに対しても最適な反射率で最も優れた記録特性を得ることができるようになされている。
【００４８】
続いて、次に開発された第２世代のディスクドライブ装置２Ｂにおいては、この時点で既知となっている当該第１世代の光ディスク３Ａ及び第２世代の光ディスク３Ｂと自身との組み合わせに対して最適な反射率で最も優れた記録特性が得られる動作条件情報ＭＵＩ１−２及びＭＵＩ２−２がＲＯＭ３５のＤＵＩＡ領域３６にそれぞれ格納されている。
【００４９】
また、第２世代のディスクドライブ装置２Ｂに続いて開発された第３世代のディスクドライブ装置２Ｃにおいても、この時点で既知となっている当該第１世代の光ディスク３Ａ及び第２世代の光ディスク３Ｂと自身との組み合わせに対して最適な反射率で最も優れた記録特性が得られる動作条件情報ＭＵＩ１−３及びＭＵＩ２−３がＲＯＭ３５のＤＵＩＡ領域３６にそれぞれ格納されている。
【００５０】
これにより第２世代のディスクドライブ装置２Ｂ及び第３世代のディスクドライブ装置２Ｃにおいては、第１世代の光ディスク３Ａ及び第２世代の光ディスク３Ｂが装填された場合、当該第１世代の光ディスク３Ａ及び第２世代の光ディスク３ＢにおけるＭＶＩＡ領域５１のディスク世代情報（第１世代又は第２世代であるか）を読み取り、そのディスク世代に対応したＤＵＩＡ領域３６の動作条件情報ＭＵＩ１−２、ＭＵＩ２−２、ＭＵＩ１−３、ＭＵＩ２−３のいずれかを用いて光学ピックアップ１１の動作条件を設定するようになされている。
【００５１】
この場合、第２世代のディスクドライブ装置２Ｂ及び第３世代のディスクドライブ装置２Ｃにおいては、既知の第１世代の光ディスク３Ａ及び第２世代の光ディスク３Ｂが装填されたときに自身のＤＵＩＡ領域３６に保持している動作条件情報ＭＵＩ１−２、ＭＵＩ２−２、ＭＵＩ１−３、ＭＵＩ２−３のいずれかを用いて動作条件を設定することができるので、その分だけ光学ピックアップ１１のスタートアップに要する時間を短縮し得、直ちに記録動作を実行し得るようになされている。
【００５２】
その後、さらに続いて開発された第３世代の光ディスク３Ｃにおいては、この時点で既知となっている当該第１世代のディスクドライブ装置２Ａ〜第３世代のディスクドライブ装置２Ｃと当該第３世代の光ディスク３Ｃとの個々の組み合わせに対し、最適な反射率で最も優れた記録特性が得られるような動作条件情報ＭＵＩ３−１、ＭＵＩ３−２及びＭＵＩ３−３がＭＵＩＡ領域５２にそれぞれ格納されている。
【００５３】
また、第３世代の光ディスク３Ｃに続いて開発された第４世代の光ディスク３Ｄにおいても、この時点で既知となっている当該第１世代のディスクドライブ装置２Ａ〜第３世代のディスクドライブ装置２Ｃと当該第４世代の光ディスク３Ｄとの個々の組み合わせに対し、最適な反射率で最も優れた記録特性が得られるような動作条件情報ＭＵＩ４−１、ＭＵＩ４−２及びＭＵＩ４−３がＭＵＩＡ領域５２にそれぞれ格納されている。
【００５４】
これにより第１世代のディスクドライブ装置２Ａ〜第３世代のディスクドライブ装置２Ｃにおいては、当該第１世代のディスクドライブ装置２Ａ〜第３世代のディスクドライブ装置２Ｃにとって未知の新規な第３世代の光ディスク３Ｃ又は第４世代の光ディスク３Ｄが装填された場合であっても、当該新規な第３世代の光ディスク３Ｃ又は第４世代の光ディスク３ＤのＭＵＩＡ領域５２から動作条件情報ＭＵＩ３−１、ＭＵＩ３−２、ＭＵＩ３−３、ＭＵＩ４−１、ＭＵＩ４−２、ＭＵＩ４−３のいずれかを読み出し、これを用いてＣＰＵ３０が光学ピックアップ１１の動作条件を設定すれば、ファームウェアをアップデートすることなく当該新規な第３世代の光ディスク３Ｃ又は第４世代の光ディスク３Ｄに対しても最適な反射率で最も優れた記録特性を得ることができるようになされている。
【００５５】
さらに、その後の時点で開発された第４世代のディスクドライブ装置２Ｄにおいては、この時点で既知となっている当該第１世代の光ディスク３Ａ〜第４世代の光ディスク３Ｄと自身との組み合わせに対して最適な反射率で最も優れた記録特性が得られる動作条件情報ＭＵＩ１−４、ＭＵＩ２−４、ＭＵＩ３−４及びＭＵＩ４−４がＲＯＭ３５のＤＵＩＡ領域３６にそれぞれ格納されている。
【００５６】
これにより第４世代のディスクドライブ装置２Ｄにおいては、既知の第１世代の光ディスク３Ａ〜第４世代の光ディスク３Ｄが装填された場合、当該第１世代の光ディスク３Ａ〜第４世代の光ディスク３ＤにおけるＭＶＩＡ領域５１のディスク世代情報（第１世代〜第４世代のいずれであるか）を読み取り、そのディスク世代に対応した動作条件情報ＭＵＩ１−４、ＭＵＩ２−４、ＭＵＩ３−４又はＭＵＩ４−４のいずれかを用いて光学ピックアップ１１の動作条件を設定する。
【００５７】
この場合も、第４世代のディスクドライブ装置２Ｄは、既知の第１世代の光ディスク３Ａ〜第４世代の光ディスク３Ｄのいずれが装填されたときであっても、自身のＤＵＩＡ領域３６に保持している動作条件情報ＭＵＩ１−４、ＭＵＩ２−４、ＭＵＩ３−４、ＭＵＩ４−４のいずれかを用いて動作条件を設定することができるので、その分だけ光学ピックアップ１１のスタートアップに要する時間を短縮し得、直ちに記録動作を実行し得る。
【００５８】
最後に開発された第５世代の光ディスク３Ｅにおいては、この時点で既知となっている当該第１世代のディスクドライブ装置２Ａ〜第４世代のディスクドライブ装置２Ｄと当該第５世代の光ディスク３Ｅとの個々の組み合わせに対し、最適な反射率で最も優れた記録特性が得られるような動作条件情報ＭＵＩ５−１、ＭＵＩ５−２、ＭＵＩ５−３、ＭＵＩ５−４及びＭＹＵ５−５がＭＵＩＡ領域５２にそれぞれ格納されている。
【００５９】
これにより第１世代のディスクドライブ装置２Ａ〜第４世代のディスクドライブ装置２Ｄにおいては、当該第１世代のディスクドライブ装置２Ａ〜第４世代のディスクドライブ装置２Ｄにとって未知の新規な第５世代の光ディスク３Ｅが装填された場合であっても、当該新規な第５世代の光ディスク３ＥのＭＵＩＡ領域５２から当該第１世代のディスクドライブ装置２Ａ〜第４世代のディスクドライブ装置２Ｄに適した動作条件情報ＭＵＩ５−１、ＭＵＩ５−２、ＭＵＩ５−３、ＭＵＩ５−４又はＭＵＩ５−５のいずれかを読み出し、これを用いてＣＰＵ３０が光学ピックアップ１１の動作条件を設定すれば、ファームウェアをアップデートすることなく当該新規な第５世代の光ディスク３Ｅに対しても対応し得、最適な反射率で最も優れた記録特性を得ることができる。
【００６０】
このように各世代のディスクドライブ装置２（２Ａ〜２Ｄ）は、それぞれの時点で既知となっているディスク世代の光ディスク３（３Ａ〜３Ｅ）が有する動作条件情報ＭＵＩを全てＲＯＭ３５のＤＵＩＡ領域３６に予め格納しておく。
【００６１】
一方、各ディスク世代の光ディスク３（３Ａ〜３Ｅ）は、それぞれの時点で既知となっている各世代のディスクドライブ装置２（２Ａ〜２Ｄ）と各ディスク世代の光ディスク３（３Ａ〜３Ｅ）との個々の組み合わせに対して最適な反射率で最も優れた反射特性が得られるような動作条件情報ＭＵＩをＭＵＩＡ領域５２に全て格納しておく。
【００６２】
これにより動作条件設定システム１では、各世代のディスクドライブ装置２（２Ａ〜２Ｄ）と各ディスク世代の光ディスク３（３Ａ〜３Ｅ）とのいずれの組み合わせについても、相互の組み合わせに対して最良の記録特性を得るための動作条件情報ＭＵＩを各世代のディスクドライブ装置２及び各ディスク世代の光ディスク３との間で相補的に保持することができるので、未知世代の新規なディスクドライブ装置２と既知世代の光ディスク３との間であっても、かつ既知世代のディスクドライブ装置２と未知世代の新規な光ディスク３との間であっても最も優れた記録特性を得る動作条件をディスクドライブ装置２に設定することができる。
【００６３】
（４）世代情報及び動作条件情報
図４に示すように、例えば第３世代の光ディスク３Ｃに設けられたＭＶＩＡ領域５１には当該光ディスク３Ｃ自体が第何世代であるのかを示す世代情報Ｇｅとして第３世代を示す「０３ｈ」が格納されている。因みに、世代情報Ｇｅの「０３ｈ」は１６進数表示である。
【００６４】
また光ディスク３Ｃに設けられたＭＵＩＡ領域５２には、ディスクドライブ装置２（２Ａ〜２Ｄ）の第１世代「０１ｈ」〜第３世代「０３ｈ」にそれぞれ対応した照射時間等を示す動作条件情報ＭＵＩ３−１〜ＭＵＩ３−３が格納されている。
【００６５】
動作条件情報ＭＵＩ３−１〜ＭＵＩ３−３の内容としては、図５（Ａ）、（Ｂ）及び（Ｃ）に示すようにレーザ光の照射を制御する照射パルスＳＰにおいて最初のレーザ光を照射するときの照射時間Ｔtop、２回目以降のレーザ光を照射するときの照射時間Ｔmp、照射パルスＳＰの周期Ｔw、基準クロックＣＬＫの立上りタイミングと照射パルスＳＰの立上りタイミングとの差分を示す開始シフト時間ｄＴtop、基準クロックＣＬＫの立上りタイミングと照射パルスＳＰの終了タイミングとの差分を示す終了シフト時間ｄＴeraが規定されている。
【００６６】
図４及び図５（Ａ）〜（Ｃ）に示したように、動作条件情報ＭＵＩ３−１〜ＭＵＩ３−３では、ディスクドライブ装置２Ａ〜２Ｃの各世代と第３世代の光ディスク３Ｃとの組み合わせにおいて最適な反射率で最も優れた記録特性が得られるような固有の照射時間Ｔtop、Ｔmp、周期Ｔw、開始シフト時間ｄＴtop及び終了シフト時間ｄＴeraがそれぞれ規定されている。
【００６７】
すなわち第１世代のディスクドライブ装置２Ａと第３世代の光ディスク３Ｃとの組み合わせにおいては、ＣＰＵ３０によって開始シフト時間ｄＴtop「０４ｈ」、照射時間Ｔtop「０９ｈ」、Ｔmp「０６ｈ」、周期Ｔw「０Ｆｈ」及び終了シフト時間ｄＴera「０４ｈ」でなる動作条件情報ＭＵＩ３−１が設定されたときに、当該第１世代のディスクドライブ装置２Ａが第３世代の光ディスク３Ｃに対して最適な反射率で最も優れた記録特性を得ることができるようになされている。
【００６８】
また第２世代のディスクドライブ装置２Ｂと第３世代の光ディスク３Ｃとの組み合わせにおいては、ＣＰＵ３０によって開始シフト時間ｄＴtop「０５ｈ」、照射時間Ｔtop「０Ａｈ」、Ｔmp「０８ｈ」、周期Ｔw「０Ｆｈ」及び終了シフト時間ｄＴera「０５ｈ」でなる動作条件情報ＭＵＩ３−２が設定されたときに、当該第２世代のディスクドライブ装置２Ｂが第３世代の光ディスク３Ｃに対して最適な反射率で最も優れた記録特性を得ることができるようになされている。
【００６９】
さらに第３世代のディスクドライブ装置２Ｃと第３世代の光ディスク３Ｃとの組み合わせについても同様に動作条件情報ＭＵＩ３−３が設定されたときに、当該第３世代のディスクドライブ装置２Ｃが第３世代の光ディスク３Ｃに対して最適な反射率で最も優れた記録特性を得ることができるようになされている。
【００７０】
（５）ディスクドライブ装置自身の世代情報認識処理手順
次に、ディスクドライブ装置２が自身の世代を認識する処理手順について図６のフローチャートを用いて説明する。ディスクドライブ装置２のＣＰＵ３０は、ルーチンＲＴ１の開始ステップから入って次のステップＳＰ１へ移る。
【００７１】
ステップＳＰ１においてディスクドライブ装置２のＣＰＵ３０は、ユーザによって電源が投入されたことを確認すると、次のステップＳＰ２へ移る。
【００７２】
ステップＳＰ２においてディスクドライブ装置２のＣＰＵ３０は、ＲＯＭ３５のＤＵＩＡ領域３６から世代情報Ｇｅを読み出すことにより、当該ディスクドライブ装置２自身が第何世代のドライブ装置であるかを認識し、次のステップＳＰ３へ移って処理を終了する。
【００７３】
（６）ディスクドライブ装置による動作条件設定処理手順
続いて、ディスクドライブ装置２がＲＯＭ３５のＤＵＩＡ領域３６に保持している動作条件情報ＭＵＩ若しくは光ディスク３のＭＵＩＡ領域５２に保持している動作条件情報ＭＵＩのいずれかを用いて光学ピックアップ１１の動作条件を設定する処理手順について図７のフローチャートを用いて説明する。
【００７４】
ディスクドライブ装置２のＣＰＵ３０は、ルーチンＲＴ２の開始ステップから入って次のステップＳＰ１１へ移る。
【００７５】
ステップＳＰ１１においてディスクドライブ装置２のＣＰＵ３０は、ユーザによって光ディスク３が装填されたことを確認すると、次のステップＳＰ１２へ移る。
【００７６】
ステップＳＰ１２においてディスクドライブ装置２のＣＰＵ３０は、当該光ディスク３のＭＶＩＡ領域５１からディスク世代情報を読み取り、当該光ディスク３のディスク世代を認識し、次のステップＳＰ１３へ移る。
【００７７】
ステップＳＰ１３においてディスクドライブ装置２のＣＰＵ３０は、光ディスク３のディスク世代が既知であって、ＲＯＭ３５のＤＵＩＡ領域３６に当該光ディスク３のディスク世代に対して最適な反射率で最も優れた反射特性が得られるような動作条件情報ＭＵＩが予め格納されている場合には当該光ディスク３が既知のものであって当該動作条件情報ＭＵＩで対応できると判断し、そうでない場合には当該光ディスク３が未知の新規種類のものであってＤＵＩＡ領域３６の動作条件情報ＭＵＩでは対応することができないと判断する。
【００７８】
従って、ステップＳＰ１３で肯定結果が得られると、ディスクドライブ装置２のＣＰＵ３０は次のステップＳＰ１４へ移り、ＲＯＭ３５のＤＵＩＡ領域３６に予め格納されている光ディスク３のディスク世代に対応した動作条件情報ＭＵＩを読み出し、次のステップＳＰ１６へ移る。
【００７９】
これに対してステップＳＰ１３で否定結果が得られると、ディスクドライブ装置２のＣＰＵ３０はステップＳＰ１５へ移り、上述のルーチンＲＴ１の世代情報認識処理手順で認識した当該ディスクドライブ装置２自身の世代に適した動作条件情報ＭＵＩを光ディスク３のＭＵＩＡ領域５２から読み出し、次のステップＳＰ１６へ移る。
【００８０】
ステップＳＰ１６においてディスクドライブ装置２のＣＰＵ３０は、ステップＳＰ１４又はステップＳＰ１５で読み出した動作条件情報ＭＵＩ情報を用いて光学ピックアップ１１におけるレーザ光の照射時間等の動作条件を改めて設定し、次のステップＳＰ１７へ移って処理を終了する。
【００８１】
（７）動作及び効果
以上の構成において、動作条件設定システム１のディスクドライブ装置２は、当該ディスクドライブ装置２自身の世代よりも以前に出荷されている既知世代の複数種類の光ディスク３との組み合わせにおいて最良の記録特性を得るための動作条件情報ＭＵＩをＲＯＭ３５のＤＵＩＡ領域３６に対してそれぞれ保持しておく。
【００８２】
これによりディスクドライブ装置２のＣＰＵ３０は、既知世代の複数種類の光ディスク３が装填された場合には当該光ディスク３のディスク世代を認識し、当該光ディスク３のディスク世代に適した動作条件情報ＭＵＩをＲＯＭ３５のＤＵＩＡ領域３６から読み出し、これを用いて光学ピックアップ１１におけるレーザ光の照射時間等の動作条件を設定する。
【００８３】
これに対して光ディスク３は、記録特性が一段と向上した最新世代のものが開発される度に、その時点で既知世代の複数種類のディスクドライブ装置２と当該最新世代の光ディスク３との組み合わせにおいて最良の記録特性を得るための動作条件情報ＭＵＩを各世代のディスクドライブ装置２毎に対応させた状態でＭＵＩＡ領域５２に予め格納しておく。
【００８４】
これによりディスクドライブ装置２のＣＰＵ３０は、最新世代の光ディスク３が装填された場合、当該ディスクドライブ装置２が当該最新世代の光ディスク３に対して最良の記録特性を得るための動作条件情報ＭＵＩを保持していないためファームウェアをアップデートする以外には対応できない場合であっても、当該最新世代の光ディスク３のＭＵＩＡ領域５２から当該ディスクドライブ装置２の世代に適した動作条件情報ＭＵＩを読み出し、これを用いて動作条件を設定することができる。
【００８５】
従って、古い世代のディスクドライブ装置２であっても、最新世代の光ディスク３に対して最良の記録特性を得るための動作条件情報ＭＵＩを当該光ディスク３のＭＵＩＡ領域５２から読み出して取得し、これを用いて動作条件を設定することができる。
【００８６】
すなわち動作条件設定システム１においては、古い世代のディスクドライブ装置２にそれぞれ対応させるための複数種類の動作条件情報ＭＵＩを最新世代の光ディスク３のほうで備えて補うようにしたことにより、古い世代のディスクドライブ装置２にとって未知の最新世代の光ディスク３が装填された場合であっても最適な反射率で最も優れた反射特性が得られるような動作条件を確実に設定することができる。
【００８７】
また動作条件設定システム１では、ディスクドライブ装置２と光ディスク３との閉じた世界だけで最適な反射率で最も優れた反射特性が得られるような動作条件を設定することができるので、インターネット等のネットワークを介してサーバ等とアクセスし、そこから新しいファームウェアをダウンロードしてアップデートするような煩雑な操作をユーザに強いることなく、かつユーザにファームウェアのアップデートを一切意識させることなく最良の記録特性を得るための動作条件を設定することができる。
【００８８】
さらに動作条件設定システム１では、ディスクドライブ装置２におけるＲＯＭ３５のＤＵＩＡ領域３６や光ディスク３のＭＵＩＡ領域５２に書換不能な状態で読出専用のデータとして動作条件情報ＭＵＩを格納するようにしていることにより、ユーザの不注意等によって動作条件情報ＭＵＩが書き換えられてしまったり、消去されてしまうといった不都合を未然に回避して確実に動作条件を設定することができる。
【００８９】
以上の構成によれば、動作条件設定システム１ではディスクドライブ装置２及び光ディスク３の世代に係わらず、いずれの世代のディスクドライブ装置２といずれのディスク世代の光ディスク３との組み合わせであったとしても常に最良の記録特性を得ることができる。
【００９０】
（８）他の実施の形態
なお上述の実施の形態においては、第１の動作条件情報としてデータ記録時に最適な反射率で最も優れた記録特性が得られるように考慮されたレーザ光の照射時間を対象とするようにした場合について述べたが、本発明はこれに限らず、レーザ光の照射時間に加えて照射回数（パルス数）を対象とするようにしても良い。
【００９１】
また上述の実施の形態においては、ディスクドライブ装置２の記録特性の向上に伴って世代が変化する場合や、光ディスク３の記録特性の向上に伴ってディスク世代が変化する場合に本発明を適用する場合について述べたが、本発明はこれに限らず、ディスクドライブ装置２及び光ディスク３のメーカー毎に記録特性が異なる場合に本発明を適用するようにしても良い。
【００９２】
さらに上述の実施の形態においては、ドライブ装置としてのディスクドライブ装置２と記録媒体としての光ディスク３を対象とするようにした場合について述べたが、本発明はこれに限らず、ドライブ装置としてのテープレコーダと記録媒体としてのテープ状記録媒体を対象とするようにしたり、ドライブ装置としてのＭＤ(Mini Disc)レコーダと記録媒体としてのＭＤを対象とするようにしても良い。
【００９３】
さらに上述の実施の形態においては、ディスクドライブ装置２のデータ書込時における動作条件を設定するようにした場合について述べたが、本発明はこれに限らず、データ読出時における動作条件を設定するようにしても良い。
【００９４】
さらに上述の実施の形態においては、記録媒体としての光ディスク３と、記憶手段としてのＲＯＭ３５、判別手段及び制御手段としてのＣＰＵ３０からなるドライブ装置としてのディスクドライブ装置２とによって動作条件設定システム１を構成するようにした場合について述べたが、本発明はこれに限らず、その他種々の構成で動作条件設定システムを構成するようにしても良い。
【産業上の利用可能性】
【００９５】
本発明の動作条件設定システムは、例えばドライブ装置と記録媒体との間で、新規種類のドライブ装置又は新規種類の記録媒体が開発された場合であっても個々の組み合わせにおいて最良の記録特性を得るための動作条件を設定する用途に適用することができる。
【図面の簡単な説明】
【００９６】
【図１】本発明の動作条件設定システムの全体構成を示す略線的ブロック図である。
【図２】光ディスクの構造を示すフローチャートである。
【図３】ディスクドライブ装置と光ディスクとの相補関係の説明に供する略線図である。
【図４】世代情報及び動作条件設定の説明に供する略線図である。
【図５】動作条件情報の詳細を示す略線図である。
【図６】世代情報認識処理手順を示すフローチャートである。
【図７】動作条件設定処理手順を示すフローチャートである。
【符号の説明】
【００９７】
１……動作条件設定システム、２……ディスクドライブ装置、３……光ディスク、１１……光学ピックアップ、３０……ＣＰＵ、３５……ＲＯＭ、３６……ＤＵＩＡ領域、５１……ＭＶＩＡ領域、５２……ＭＵＩＡ領域。
【図１】
2005243197.tif 000003
【図２】
2005243197.tif 000004
【図３】
2005243197.tif 000005
【図４】
2005243197.tif 000006
【図５】
2005243197.tif 000007
【図６】
2005243197.tif 000008
【図７】
2005243197.tif 000009